(57)【要約】  本発明は、光源装置（Ｑ１、Ｑ２）と、分光計（１）と、測定ヘッド構造（２）とを備える測定装置に関し、この測定ヘッド構造は、第１の光導波路（Ｌ１）及び第２の光導波路（Ｌ２）を介して光源装置に接続され、第３の光導波路（Ｌ３）を介して分光計に接続されており、これらの光導波路は、測定ヘッド構造によって提供される表面で開口しており、光導波路の開口位置は、第３の光導波路の開口位置から第１と第２の光導波路の開口位置までの距離（ａ、ｂ）が異なるように互いに調整されている。これにより、有利な方法で、細胞構造の不均質な分散により生体組織システムに存在している障害に対しての高い耐性（イミュニティ）を特徴とする測定装置を提供することが可能となる。【選択図】図１
2013540256.tif 000002
【特許請求の範囲】
【請求項１】
‐光源装置と、
‐分光計と、
‐測定ヘッド構造と
を備える測定装置であり、
‐前記測定ヘッド構造は、第１の光導波路及び第２の光導波路を介して前記光源装置に接続され、第３の光導波路を介して前記分光計に接続されており、
‐前記光導波路は、前記測定ヘッド構造によって提供される表面で開口し、
‐前記光導波路の開口位置は、前記第３の光導波路の前記開口位置から前記第１と前記第２の光導波路の前記開口位置までの距離が異なるように互いに調整されている、測定装置。
【請求項２】
前記光導波路が背面から実質的に垂直に前記表面につながっていることを特徴とする、請求項１に記載の測定装置。
【請求項３】
前記第３の光導波路の前記開口位置から前記第１の光導波路の前記開口位置までの距離は、前記第３の光導波路の前記開口位置から前記第２の光導波路の前記開口位置までの距離よりも長いことを特徴とする、請求項１又は２に記載の測定装置。
【請求項４】
前記第３の光導波路の前記開口位置から前記第１の光導波路の前記開口位置までの距離は、前記第１の光導波路の前記開口位置と前記第２の光導波路の前記開口位置との間の距離に相当することを特徴とする、請求項１〜３のいずれか一項に記載の測定装置。
【請求項５】
前記測定ヘッド構造は、前記光導波路の前記開口位置が三角形の頂点をなすように形成され、前記第３の光導波路の前記開口位置に向かう辺と辺との間で決定される内角は、７９°〜９４°の範囲にあり、好ましくは８９°であることを特徴とする、請求項１〜４のいずれか一項に記載の測定装置。
【請求項６】
前記第３の光導波路の前記開口位置から前記第1の光導波路の前記開口位置までの距離は３．６ｍｍであり、前記第３の光導波路の前記開口位置から前記第２の光導波路の前記開口位置までの距離は２．３ｍｍであることを特徴とする、請求項１〜５のいずれか一項に記載の測定装置。
【請求項７】
前記光源装置は、前記光導波路のそれぞれ１つに割り当てられている２つの独立したＬＥＤ光源Ｑ１、Ｑ２を含むことを特徴とする、請求項１〜６のいずれか一項に記載の測定装置。
【請求項８】
前記光導波路は、鉄を含まないマルチフィラメントとして実施されていることを特徴とする、請求項１〜７のいずれか一項に記載の測定装置。
【発明の詳細な説明】
【技術分野】
【０００１】
本発明は、生体組織から測定信号を収集するための、特に、体液の成分組成、並びに必要に応じて一時的に血管に粘着している物質の成分組成を検出するための測定装置に関する。
【背景技術】
【０００２】
検査する生物の該当する組織範囲に移動分光計を取り付け、この移動分光計によって、組織から発生する反射光のスペクトルを記録することにより、一時的に血管に粘着している物質の分析が行われる移動分光計が知られている。記録されたスペクトルに基づき、検査された組織範囲に存在する様々な物質を検知することができる。この分光計は、標準的な分光計として構成されることができ、この分光計の場合、入射する光は光学的手段によって分解されて波長に割り当てられ、分解された光の強度が測定される。可動部品を回避するため、分光計は、波長に従って分解された光がＣＣＤアレイに向けられ、このＣＣＤアレイによって分析されるように形成することができる。
【発明の概要】
【発明が解決しようとする課題】
【０００３】
本発明は、分光測定法において、特に高い有意性を特徴とする測定値が得られる解決方法を提供するという課題に基づいている。
【課題を解決するための手段】
【０００４】
この課題は、本発明に基づき、光源装置と、分光計と、測定ヘッド構造とを備える測定装置によって解決され、この測定ヘッド構造は、第１の光導波路及び第２の光導波路を介して光源装置に接続され、第３の光導波路を介して分光計に接続されており、これらの光導波路は、測定ヘッド構造によって提供される表面で開口し、光導波路の開口位置は、第３の光導波路の開口位置から第１と第２の光導波路の開口位置までの距離が異なるように互いに調整されている。
【０００５】
これにより、有利な方法で、細胞構造の不均質な分散により生体組織システムに存在している障害に対しての高い耐性（イミュニティ）を特徴とする測定装置を提供することが可能となる。
【０００６】
好ましくは、光導波路が背面から実質的に垂直に表面につながるように、測定ヘッド構造が形成されていることである。
【０００７】
第３の光導波路の開口位置から第１の光導波路の開口位置までの距離は、第３の光導波路の開口位置から第２の光導波路の開口位置までの距離よりも長いことが好ましい。
【０００８】
第３の光導波路の開口位置から第１の光導波路の開口位置までの距離は、第１の光導波路の開口位置と第２の光導波路の開口位置との間の距離に相当することが好ましい。
【０００９】
測定ヘッド構造は、光導波路の開口位置が三角形の頂点をなすように形成されることができ、その際、第３の光導波路の開口位置に向かう辺と辺との間で決定される内角は、７９°〜９４°の範囲にあり、好ましくは８９°である。
【００１０】
ヒトの生体組織での測定に特に有利な測定ヘッド構造の形態は、第３の光導波路の開口位置から第１の光導波路の開口位置までの距離が３．６ｍｍであるのが適切である。第３の光導波路の開口位置から第２の光導波路の開口位置までの距離は、この場合、好ましくは２．３ｍｍである。
【００１１】
光源装置は、本発明の特別な視点に基づき、この装置が光導波路のそれぞれ１つに割り当てられている２つの独立したＬＥＤ光源を含むように形成されている。光導波路は、好ましくは、鉄を含まないマルチフィラメントとして実施されている。
【００１２】
本発明のその他の詳細及び特徴は、図を用いた以下の説明に示されている。
【図面の簡単な説明】
【００１３】
【図１】図１は、本発明に基づく移動測定装置の構造を具体的に示す概略図である。
【発明を実施するための形態】
【００１４】
図１は、光源装置Ｑ１、Ｑ２と、分光計１と、測定ヘッド構造２とを備える移動測定装置を示し、この測定ヘッド構造２は、第１の光導波路Ｌ１及び第２の光導波路Ｌ２を介して光源装置Ｑ１、Ｑ２に接続され、第３の光導波路Ｌ３を介して分光計１に接続されており、これらの光導波路Ｌ１、Ｌ２、Ｌ３は、測定ヘッド構造２によって提供される表面Ａにて開口しており、光導波路Ｌ１、Ｌ２、Ｌ３の開口位置は、第３の光導波路Ｌ３の開口位置から第１と第２の光導波路Ｌ１、Ｌ２の開口位置までの距離が顕著に、好ましくは少なくとも０．４ｍｍ異なるように互いに調整されている。
【００１５】
光導波路Ｌ１、Ｌ２、Ｌ３は、これらが背面から実質的に垂直に表面Ａにつながるように、測定ヘッド構造２内に取り付けられている。表面Ａ又は光導波路Ｌ１、Ｌ２、Ｌ３の開口窓には、シーリング又は薄い窓構造を取り付けることができるため、光導波路は光学的にアクセス可能であるが、機械的には保護されていない。
【００１６】
第３の光導波路Ｌ３の開口位置から第１の光導波路Ｌ１の開口位置までの距離は、第３の光導波路Ｌ３の開口位置から第２の光導波路Ｌ２の開口位置までの距離よりも長い。ここでは、第３の光導波路Ｌ３の開口位置から第１の光導波路Ｌ１の開口位置までの距離が、第１の光導波路Ｌ１の開口位置と第２の光導波路Ｌ２の開口位置との間の距離にほぼ相当する。
【００１７】
光導波路Ｌ１、Ｌ２、Ｌ３の開口位置はここでは三角形の頂点をなしており、その際、第３の光導波路Ｌ３の開口位置に向かう辺と辺との間で決定される内角αは、７９°〜９４°の範囲にあり、好ましくは８９°である。
【００１８】
第３の光導波路Ｌ３の開口位置から第１の光導波路Ｌ１の開口位置までの距離は、具体的な実施例においては３．６ｍｍであるのが好ましい。そして、第３の光導波路Ｌ３の開口位置から第２の光導波路Ｌ２の開口位置までの距離は２．３ｍｍであるのが好ましい。
【００１９】
光源装置は、光導波路Ｌ１、Ｌ２のそれぞれ１つに割り当てられている２つの独立したＬＥＤ光源Ｑ１、Ｑ２を含む。光導波路Ｌ１、Ｌ２は、鉄を含まないマルチフィラメントとして実施され、ここでは詳しく図示されていない張力緩和付きの被覆の中に組み込まれている。分光計はＣＣＤアレイ７を含み、このＣＣＤアレイにより第３の光導波路Ｌ３を介して検知される光を波長に割り当てることによって、その光の強度のスペクトル分布を検知することができる。
【００２０】
前記表面は、好ましくは、ほぼ円形の面又はわずかに楕円形の面として形成されている。光導波路Ｌ１、Ｌ２、Ｌ３の開口位置は、これらの開口位置によって決定される三角形の中心点が該表面の中心点とほぼ一致しているように決定されているのが好ましい。
【符号の説明】
【００２１】
１      分光計
２      測定ヘッド構造
７      ＣＣＤアレイ
ａ、ｂ  第３の光導波路の開口位置から第１、第２の光導波路の開口位置までの距離
Ａ      表面
Ｌ１、Ｌ２、Ｌ３        第１、第２、第３の光導波路
Ｑ１、Ｑ２      ＬＥＤ光源
【図１】
2013540256.tif 000003
【国際調査報告】
2013540256.tif 000004
2013540256.tif 000005
2013540256.tif 000006
2013540256.tif 000007
2013540256.tif 000008
2013540256.tif 000009